(57)【要約】【課題】ケーブル引き回しによる環境整理が容易となり、しかも、通信機器での確実な接続を補償できるように工夫した、電源コンセント・プラグ接続セットを提供する。【解決手段】プラグ本体に、その雄型接続端子を囲む環状の嵌合突堤部を形成すると共に、そのコンセント接続側に位置して、弾性を持って、外側に反発するフックを備えており、コンセント本体に、その雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、前記嵌合突堤部及び嵌合溝状部に、それぞれ、互いに嵌合接続される通信回線の接続端子が装備している。【選択図】          図１
2004185926.tif 000002
【特許請求の範囲】
【請求項１】
一対の雌型接続端子をコンセント本体に備えたコンセントと、前記雌型接続端子に対向する一対の雄型接続端子をプラグ本体に備えたプラグとから構成される電源コンセント・プラグ接続セットにおいて、
（１）前記プラグは、前記雄型接続端子を囲む環状の嵌合突堤部を、前記プラグ本体に形成すると共に、そのコンセント接続側に位置して、弾性を持って、外側に反発するフックを備えており、
（２）前記コンセントは、前記雌型接続端子に前記雄型接続端子を嵌合した状態で、前記嵌合突堤部を嵌合する環状の嵌合溝状部を、前記雌型接続端子を囲んで、前記コンセント本体に形成すると共に、そのプラグ接続側に位置して、前記フックをその弾性に抗して内側に誘導する誘導部、及び、前記フックの外側への反発で係合する係合部を備えており、
（３）前記嵌合突堤部及び嵌合溝状部には、それぞれ、互いに嵌合接続される通信回線の接続端子が装備されていることを特徴とする電源コンセント・プラグ接続セット。
【請求項２】
前記嵌合突堤部には、前記通信回線の接続端子に対するシールド用の導電体が前記雄型接続端子を囲むように装備してあり、前記コンセント本体には、前記導電体のアース用接続端子が装備されていることを特徴とする請求項１に記載の電源コンセント・プラグ接続セット。
【請求項３】
前記導電体は、プラグ側のアース用リード線に接続されており、前記アース用接続端子は、コンセント側のアース用リード線に接続されていることを特徴とする請求項２に記載の電源コンセント・プラグ接続セット。
【請求項４】
一対の雌型接続端子をコンセント本体に備えたコンセントと、前記雌型接続端子に対向する一対の雄型接続端子をプラグ本体に備えたプラグとから構成される電源コンセント・プラグ接続セットにおいて、
（１）前記コンセント本体及びプラグ本体には、それぞれ、コンセント用アダプタ及びプラグ用アダプタが装着されており、
（２）プラグ用アダプタは、そのアダプタ本体に前記雄型接続端子を囲む環状の嵌合突堤部を形成すると共に、そのコンセント接続側に位置して、弾性を持って、外側に反発するフックを備えており、
（３）コンセント用アダプタは、そのアダプタ本体に前記雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、
（４）前記嵌合突堤部及び嵌合溝状部には、それぞれ、互いに嵌合接続される通信回線の接続端子が装備されていることを特徴とする電源コンセント・プラグ接続セット。
【請求項５】
前記嵌合突堤部には、前記通信回線の接続端子に対するシールド用の導電体が前記雄型接続端子を囲むように装備してあり、前記コンセント用のアダプタ本体には、前記導電体のアース用接続端子が装備されていることを特徴とする請求項４に記載の電源コンセント・プラグ接続セット。
【請求項６】
前記導電体は、プラグ側のアース用リード線に接続されており、前記アース用接続端子は、コンセント側のアース用リード線に接続されていることを特徴とする請求項４に記載の電源コンセント・プラグ接続セット。
【発明の詳細な説明】
【０００１】
【発明の属する技術分野】
本発明は、主として、通信機器における電源コンセント・プラグ接続セットに関するものである。
【０００２】
【従来の技術】
一般に知られる電源コンセント・プラグ接続セットは、一対の雌型接続端子をコンセント本体に備えたコンセントと、前記雌型接続端子に対向する一対の雄型接続端子をプラグ本体に備えたプラグとから構成されており、特に、通信機器における静電気や電磁波防止対策（通信機器側に発生する静電気や電磁波などの悪影響を回避する対策）のために、例えば、特開平８−２５５６５１号公報や特開２０００−１８２７３２号公報に所載のプラグ、特開２０００−３４０２８６号公報に所載のコンセントなどの、多数のアース機能付き電源コンセント・プラグ接続セットが、発明あるいは考案されている。
【０００３】
【発明が解決しようとする課題】
しかしながら、これらの接続セットは、電源接続と共にアース用リード線への接続を意図して構成されているが、コンセントとプラグとの接続状態については、十分な配慮がなされていないので、電源接続とアース接続とを同時に、かつ、確実に行う点で、不充分であり、その静電気・電磁波防止対策に高い信頼性が欠けている。
【０００４】
一方、通信機器では、電源接続とは別に、電話回線を利用した通信用リード線や光通信のための回線の接続が必要であり、これらのケーブルを、別々のルートで引き回すため、環境整理が煩雑になる状況が避けられない。しかし、これを電源接続の回線に沿わせる場合、常に問題となるのが、コンセント・プラグの接続不良によるノイズが通信回線に悪影響を及ぼす点、および、通信回線の接続不良の確実な回避を保障する点である。
【先行技術文献】
特開平７−２９７８９２
【０００５】
本発明は、上記事情に基づいてなされたもので、その目的とするところは、ケーブル引き回しによる環境整理が容易となり、しかも、通信機器での確実な接続を保障できるように工夫した、電源コンセント・プラグ接続セットを提供することである。
【０００６】
【課題を解決するための手段】
このため、本発明の電源コンセント・プラグ接続セットでは、プラグ本体に、その雄型接続端子を囲む環状の嵌合突堤部を形成すると共に、そのコンセント接続側に位置して、弾性を持って、外側に反発するフックを備えており、コンセント本体に、その雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、前記嵌合突堤部及び嵌合溝状部に、それぞれ、互いに嵌合接続される通信回線の接続端子が装備していることを特徴とする。
【０００７】
また、本発明の電源コンセント・プラグ接続セットでは、コンセント本体及びプラグ本体に、それぞれ、コンセント用アダプタ及びプラグ用アダプタを装着しており、プラグ用アダプタでは、そのアダプタ本体に、その雄型接続端子を囲む環状の嵌合突堤部を形成すると共に、そのコンセント接続側に位置して、弾性を持って、外側に反発するフックを備えており、コンセント用アダプタでは、そのアダプタ本体に、その雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、前記嵌合突堤部及び嵌合溝状部に、それぞれ、互いに嵌合接続される通信回線の接続端子が装備していることを特徴とする。
【０００８】
なお、本発明の実施の形態として、前記嵌合突堤部には、前記通信回線の接続端子に対するシールド用の導電体が前記雄型接続端子を囲むように装備してあり、前記コンセント用のアダプタ本体には、前記導電体のアース用接続端子が装備されていること、また、前記導電体が、プラグ側のアース用リード線に接続されており、前記アース用接続端子が、コンセント側のアース用リード線に接続されていることが、有効である。
【０００９】
【発明の実施の形態】
以下、本発明の実施の形態を、図面を参照して具体的に説明する。なお、図１〜図４は、本発明に係る第１の実施の形態を示す斜視図、横断平面図および縦断側面図、また、図５〜図８は、本発明に係る第２の実施の形態を示す斜視図、横断平面図および縦断側面図である。更に、図９は、本発明に係る第３の実施の形態を示す斜視図、横断面図および縦断側面図である。
【００１０】
（第１の実施の形態）
本発明に係る第１の実施の形態において、本発明に係る電源コンセント・プラグ接続セットは、基本的に、一対の雌型接続端子１を、硬質合成樹脂などの電気絶縁性材料からなるコンセント本体２に備えたコンセントＡと、雌型接続端子１に対向する一対の雄型接続端子３を、コンセント本体２と同材質のプラグ本体４に備えたプラグＢとから構成される。
【００１１】
そして、プラグＢは、雄型接続端子３を囲む環状の嵌合突堤部５を、プラグ本体４に形成すると共に、そのコンセント接続側に位置して、弾性を持って、外側に反発するフック６を備えており、コンセントＡは、雌型接続端子１に雄型接続端子３を嵌合した状態で、嵌合突堤部５を嵌合する環状の嵌合溝状部７を、雌型接続端子１を囲んで、コンセント本体２に形成する。
【００１２】
また、コンセントＡは、そのプラグ接続側に位置して、フック６をその弾性に抗して内側に誘導する誘導部８、及び、フック６の外側への反発で係合する係合部９を備えている。なお、この実施の形態では、フック６が、その先端の係止爪６ａに誘導用のテーパ面６ｂを形成しており、また、誘導部８が嵌合溝状部７の外側縁の一部および嵌合溝状部７の外周内壁に形成した溝孔で構成され、係合部９が前記溝孔の内縁で構成されている。
【００１３】
そして、嵌合突堤部５及び嵌合溝状部７には、それぞれ、互いに嵌合接続される通信回線の雌雄の接続端子１０、１１が装備されている。また、この実施の形態では、嵌合突堤部５に、前記通信回線の接続端子１０に対するシールド用の導電体１２が雄型接続端子３を囲むように装備してあり、コンセント本体２に、導電体１２のアース用接続端子１３が装備されている。
【００１４】
なお、図中、符号１４、１５は、それぞれ、コンセント本体２、プラグ本体４内で、接続端子１、３に接続される電源供給用のコード、符号１６、１７は、それぞれ、接続端子１０、１１に接続される回線コードである。回線コード１６、１７は、この実施の形態では、電源供給用コード１４、１５とは別体に構成されていて、適当個所で、バンド１８により、コード１４、１５に結束されているけれども、コード１４、１５と回線コード１６、１７とを一体化した複合コードがあれば、これを用いても良いこと勿論である。
【００１５】
このような構成によれば、嵌合突堤部５が嵌合溝状部７に嵌合され、同時に、接続端子１を接続端子３に接続するとき、フック６が誘導部８に誘導されて撓み、接続端子１、３の接合が完結した時点で、フック６の弾性的な反発で、係合爪６ａが係合部９に係止されるから、接続端子１、３の接続状態を確実に維持すると共に、通信用の接続端子１０、１１も確実に接続できる。
【００１６】
このため、接続端子１、３間の不完全な接合が避けられるので、ここからノイズを発生する畏れがなく、通信回線のための接続構造を、同じ、電源用コンセント・プラグ接続セットに組み込んでも、通信に支障を来さない。しかも、この実施の形態では、シールド用に装備した導電体１２が、アース機能を発揮するリード線（図示せず）との接続で、ノイズ防止と共に、通信機器側の電磁波防止対策も兼ねることができる。
【００１７】
（第２の実施の形態）
本発明に係る第２の実施の形態において、本発明に係る電源コンセント・プラグ接続セットは、基本的に、例えば、既存の構成である、一対の雌型接続端子１を、硬質合成樹脂などの電気絶縁材料からなるコンセント本体２に備えたコンセントＡと、雌型接続端子１に対向する一対の雄型接続端子３を、同じく、電気絶縁材料からなるプラグ本体４に備えたプラグＢとから構成されたものに、半硬質合成樹脂などの、僅かな可撓性を有する電気絶縁材料からなるアダプタＣ、Ｄを追加した構成である。即ち、コンセント本体２及びプラグ本体４に、それぞれ、コンセント用アダプタＣ及びプラグ用アダプタＤを装着している。
【００１８】
そして、プラグ用アダプタＤは、雄型接続端子３を囲む環状の嵌合突堤部５を、アダプタ本体２４に形成すると共に、そのコンセント接続側に位置して、弾性を持って、外側に反発するフック６を備えており、コンセント用アダプタＣは、雌型接続端子１に雄型接続端子３を嵌合した状態で、嵌合突堤部５を嵌合する環状の嵌合溝状部７を形成するように、雌型接続端子１を囲んで、アダプタ本体２２に嵌合孔７’を形成する。
【００１９】
また、コンセント用アダプタＣは、そのプラグ接続側に位置して、フック６をその弾性に抗して内側に誘導する誘導部８、及び、フック６の外側への反発で係合する係合部９を備えている。なお、この実施の形態では、フック６が、その先端の係止爪６ａに誘導用のテーパ面６ｂを形成しており、また、誘導部８が嵌合溝状部７の外側縁の一部および嵌合溝状部７の外周内壁に形成した溝孔で構成され、係合部９が前記溝孔の内縁で構成されている。
【００２０】
そして、嵌合突堤部５及び嵌合溝状部７には、それぞれ、互いに嵌合接続される通信回線の雌雄の接続端子１０、１１が装備されている。また、この実施の形態では、嵌合突堤部５に、前記通信回線の接続端子１０に対するシールド用の導電体１２が雄型接続端子３を囲むように装備してあり、アダプタ本体２２に、導電体１２のアース用接続端子１３が装備されている。
【００２１】
なお、図中、符号１４、１５は、それぞれ、アダプタ本体２２、２４内で、接続端子１、３に接続される電源供給用のコード、符号１６、１７は、それぞれ、接続端子１０、１１に接続される回線コードである。回線コード１６、１７は、この実施の形態では、電源供給用コード１４、１５とは別体に構成されていて、適当個所で、バンド１８により、コード１４、１５に結束されている。
【００２２】
また、この実施の形態では、アダプタ本体２２、２４の持つ僅かな可撓性を利用して、例えば、アダプタ本体２２、２４に設けた係合部２２ａ、２４ａをコンセント本体２、プラグ本体５に係合して、コンセントＡ、プラグＢに対して、着脱可能にアダプタＣ、Ｄを装着し、しかも、みだりに外れないように工夫している。
【００２３】
このような構成によれば、嵌合突堤部５が嵌合溝状部７に嵌合され、同時に、接続端子１を接続端子３に接続するとき、フック６が誘導部８に誘導されて撓み、接続端子１、３の接合が完結した時点で、フック６の弾性的な反発で、係合爪６ａが係合部９に係止されるから、接続端子１、３の接続状態を確実に維持すると共に、通信用の接続端子１０、１１も確実に接続できる。
【００２４】
このため、接続端子１、３間の不完全な接合が避けられるので、ここからノイズを発生する畏れがなく、通信回線のための接続構造を、同じ、電源用コンセント・プラグ接続セットに組み込んでも、通信に支障を来さない。しかも、この実施の形態では、シールド用に装備した導電体１２が、アース機能を発揮するリード線（図示せず）との接続で、ノイズ防止と共に、通信機器側の電磁波防止対策も兼ねることができる。
【００２５】
特に、この実施の形態では、アダプタＣ、Ｄを用意するだけで、既存の電源コンセント・プラグ接続セットに、通信回線を併設する機能を発揮でき、その有用性、汎用性が大きい。
【００２６】
（第３の実施の形態）
本発明に係る第３の実施の形態は、壁面埋め込み型のコンセントおよびこれに接続するプラグの電源用接続セットを、前述のアダプタ採用での、接続セットの態様で構成したものである。なお、プラグＤの構成は、第２の実施の形態での、それと同様である。従って、ここではアダプタＣの構成のみについて説明する。
【００２７】
この実施の形態で示すコンセントＡは、２個の差込部３１ａ、３１ｂを備えた合成樹脂製のコンセント本体３１を、金属製（あるいは硬質合成樹脂製）の取付け枠３２を介して、壁面（図示せず）に取り付ける既存の構造において、壁面正面側から、取付け枠３２に合成樹脂製の支持枠３３をネジ止めすると共に、支持枠３３の周囲に設けた複数のフック孔３３ａにフック３４ａを係脱可能に係合して、支持枠３３に、正面パネル３４を取り付ける構造であるが、本発明では、この正面パネル３４とコンセント本体３１との間に、アダプタＣを装着するのである。
【００２８】
このアダプタＣは、コンセント本体３１の正面から、これに係脱可能に嵌合する枠状の、合成樹脂製のアダプタ本体４４に、コンセント本体３１の差込口３１ａ、３１ｂに、それぞれ対応した、プラグ挿入口４４ａ、４４ｂを設けると共に、第２の実施の形態で示す構造を２組、並べて装備したものである。なお、この構造は、本質的に、第２の実施の形態と同様なので、同一符号を付けて、その構成の説明は省略する。
【００２９】
このような構成では、既存の埋め込み型の電源コンセントにおける正面パネル３４とコンセント本体３１との間に、アダプタＣを設けるだけで、通信回線の接続構造を、電源コンセント・プラグ接続セットに併用できるという経済性と汎用性を発揮できる。
【００３０】
なお、上述した第３の実施の形態は、アダプタＣ、Ｄを採用する場合を示しているが、第１の実施の形態で示すような本発明の構成を、コンセント本体３１に直接、装備する形式で、埋め込み型のコンセントＡ、それ自体に組み込んでも良いことは勿論であり、更に、アダプタＣを正面パネル３４と一体に構成しても良い。また、第１〜第３の実施の形態では、単純なコード接続用コンセント・プラグ接続セット、あるいは、コンセントが壁面埋め込み型のコンセント・プラグ接続セットとして、本発明の構成を開示しているが、タップ型のコンセントとプラグとを組み合わせるコンセント・プラグ接続セットにも、本発明の構成を採用できることは勿論である。
【００３１】
【発明の効果】
本発明は、以上詳述したように、プラグ本体に、その雄型接続端子を囲む環状の嵌合突堤部を形成すると共に、そのコンセント接続側に位置して、弾性を持って、外側に反発するフックを備えており、コンセント本体に、その雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、前記嵌合突堤部及び嵌合溝状部に、それぞれ、互いに嵌合接続される通信回線の接続端子が装備している。従って、ケーブル引き回しによる環境整理が容易となり、しかも、通信機器での確実な接続を保障できる。
【００３２】
また、本発明では、コンセント本体及びプラグ本体に、それぞれ、コンセント用アダプタ及びプラグ用アダプタを装着しており、プラグ用アダプタでは、そのアダプタ本体に、その雄型接続端子を囲む環状の嵌合突堤部を形成すると共に、そのコンセント接続側に位置して、弾性を持って、外側に反発するフックを備えており、コンセント用アダプタでは、そのアダプタ本体に、その雌型接続端子に前記雄型接続端子を嵌合した状態で、前記嵌合突堤部を嵌合する環状の嵌合溝状部を、前記雌型接続端子を囲んで形成すると共に、そのプラグ接続側に位置して、前記フックをその弾性に抗して内側に誘導する誘導部、及び、前記フックの外側への反発で係合する係合部を備えており、前記嵌合突堤部及び嵌合溝状部に、それぞれ、互いに嵌合接続される通信回線の接続端子が装備している。従って、上述の効果に加えて、既存のコンセント・プラグ接続セットに組み合わせて使用できるので、その経済性及び汎用性の面で有利である。
【図面の簡単な説明】
【図１】本発明に係る第１の実施の形態を示す斜視図である。
【図２】同じく、接続前の横断平面図である。
【図３】同じく、接続後の横断平面図である。
【図４】同じく、縦断側面図である。
【図５】本発明に係る第２の実施の形態を示す斜視図である。
【図６】同じく、接続前の横断平面図である。
【図７】同じく、接続後の横断平面図である。
【図８】同じく、縦断側面図である。
【図９】本発明に係る第３の実施の形態を示す斜視図である。
【符号の説明】
Ａ    コンセント
Ｂ    プラグ
Ｃ、Ｄ    アダプタ
１    雌型接続端子
２    コンセント本体
３    雄型接続端子
４    プラグ本体
５    嵌合突堤部
６    フック
６ａ    係止爪
６ｂ    テーパ面
７    嵌合溝状部
８    誘導部
９    係合部
１０、１１    接続端子
１２    導電体
１３    アース用接続端子
１４、１５    電源供給用のコード
１６、１７    回線コード
１８    バンド
２２、２４    アダプタ本体
３１    コンセント本体
３１ａ、３１ｂ    差込部
３２    取付け枠
３３    支持枠
３３ａ    フック孔
３４    正面パネル
３４ａ    フック
４４    アダプタ本体
４４ａ、４４ｂ    プラグ挿入口
【図１】
2004185926.tif 000003
【図２】
2004185926.tif 000004
【図３】
2004185926.tif 000005
【図４】
2004185926.tif 000006
【図５】
2004185926.tif 000007
【図６】
2004185926.tif 000008
【図７】
2004185926.tif 000009
【図８】
2004185926.tif 000010
【図９】
2004185926.tif 000011